(57)【特許請求の範囲】
【請求項１】
断熱構造の容器本体と、該容器本体の開口部に対して螺着脱自在に取り付けられた栓本体とを備えた携帯用保温容器であって、前記栓本体を、前記容器本体の開口部に螺合する螺合部と、該螺合部の上端に一体に突設され、前記容器本体の中心線に対して所定の傾斜角度だけ傾斜した中心線を有する断面略直角三角形形状の蓋部と、該蓋部における略直角を挟む一辺に一体に突設され、該蓋部の中心線と平行な中心線を有する吸い口とによって構成し且つ該吸い口を、下方から上方に向かって先細り形状とするとともに、前記吸い口には、キャップを螺着脱自在に設けたことを特徴とする携帯用保温容器。
【請求項２】
断熱構造の容器本体と、該容器本体の開口部に対して螺着脱自在に取り付けられた栓本体とを備えた携帯用保温容器であって、前記栓本体を、前記容器本体の開口部に螺合する螺合部と、該螺合部の上端に一体に突設され、前記容器本体の中心線に対して所定の傾斜角度だけ傾斜した中心線を有する断面略直角三角形形状の蓋部と、該蓋部における略直角を挟む一辺の略直角より位置に一体に突設され、該蓋部の中心線と平行な中心線を有する吸い口とによって構成し且つ該吸い口を、前記容器本体の外径内に位置せしめるとともに、前記吸い口には、キャップを螺着脱自在に設けたことを特徴とする携帯用保温容器。
【発明の詳細な説明】
【０００２】
【発明の属する技術分野】
【０００３】
本願発明は、直飲みするタイプの携帯用保温容器におけるに関するものである。
【従来の技術】
【０００４】
一般に、飲料水等を入れた携帯用保温容器は、飲料水等を入れる容器本体と、該容器本体の開口部に取り付けられる栓本体と、該栓本体を覆うコップ兼用の蓋とを備えて構成されており、コップ兼用の蓋で飲む場合の他に、容器本体の開口部に口を付けて飲む直飲みを行う場合がある。ところが、直飲みを行う場合には、蓋と栓本体との両方を容器本体から外す必要があり、操作が面倒となり、運動の途中のように急いで飲みたい場合や身体を動かしている時には不向きとなるという不具合があった。
【０００５】
上記のような不具合に対処するために、容器本体の開口部に取り付けられる栓本体に直接口が付けられる吸い口を設けた携帯用保温容器が提案されている（例えば、特開平１１−２４４１５８号公報参照）。
【発明が解決しようとする課題】
【０００６】
ところが、上記公知例の場合、容器本体の中心線と平行な方向に吸い口が形成されているので、吸い口に口を付けて飲む時には、容器本体を大きく傾ける必要が生じる。従って、急いでのむときや身体を動かしながら飲むときの操作性に問題が生じるという不具合がある。また、容器本体の中心線と吸い口とを同一線上に位置させるように構成した場合、容器本体の開口部に螺着脱される栓本体の螺合中心と吸い口に螺着脱されるキャップの螺合中心とが一致することとなる。すると、栓本体とキャップの螺合方向が同一とされていると、キャップを緩めるときに栓本体も緩んでしまうという新たな不具合が発生するおそれがある。
【０００７】
本願発明は、上記の点に鑑みてなされたもので、吸い口を容器本体の中心線に対して所定の傾斜角度だけ傾斜させることにより、直飲みするときに容器本体を余り傾けなくともよいようにするとともに、吸い口に螺着脱されるキャップを緩める際に、栓本体が緩んでしまうことがないようにすることを目的とするものである。
【課題を解決するための手段】
【０００８】
請求項１の発明では、上記課題を解決するための手段として、断熱構造の容器本体と、該容器本体の開口部に対して螺着脱自在に取り付けられた栓本体とを備えた携帯用保温容器において、前記栓本体を、前記容器本体の開口部に螺合する螺合部と、該螺合部の上端に一体に突設され、前記容器本体の中心線に対して所定の傾斜角度だけ傾斜した中心線を有する断面略直角三角形形状の蓋部と、該蓋部における略直角を挟む一辺に一体に突設され、該蓋部の中心線と平行な中心線を有する吸い口とによって構成し且つ該吸い口を、下方から上方に向かって先細り形状とするとともに、前記吸い口に、キャップを螺着脱自在に設けている。
【０００９】
上記のように構成したことにより、吸い口から直飲みするときに、容器本体を大きく傾けなくともよいこととなり、急いでのむときや身体を動かしながら飲むときに便利となる。また、容器本体の中心線とキャップの中心線とが所定角度で交差することとなるため、キャップを緩める際に、栓本体が緩んでしまうということがなくなる。さらに、携帯用保温容器が、下方から上方に向かうに従って細くなる全体形状を呈することとなり、デザイン的に安定したフォルムを形成する。
【００１０】
請求項２の発明では、上記課題を解決するための手段として、断熱構造の容器本体と、該容器本体の開口部に対して螺着脱自在に取り付けられた栓本体とを備えた携帯用保温容器であって、前記栓本体を、前記容器本体の開口部に螺合する螺合部と、該螺合部の上端に一体に突設され、前記容器本体の中心線に対して所定の傾斜角度だけ傾斜した中心線を有する断面略直角三角形形状の蓋部と、該蓋部における略直角を挟む一辺の略直角より位置に一体に突設され、該蓋部の中心線と平行な中心線を有する吸い口とによって構成し且つ該吸い口を、前記容器本体の外径内に位置せしめるとともに、前記吸い口に、キャップを螺着脱自在に設けている。
【００１１】
上記のように構成したことにより、吸い口から直飲みするときに、容器本体を大きく傾けなくともよいこととなり、急いでのむときや身体を動かしながら飲むときに便利となる。また、容器本体の中心線とキャップの中心線とが所定角度で交差することとなるため、キャップを緩める際に、栓本体が緩んでしまうということがなくなる。さらに、吸い口を、前記容器本体の外径内に位置せしめるようにしているので、全体的に小型となる。
【発明の実施の形態】
【００１２】
以下、添付の図面を参照して、本願発明の好適な実施の形態について詳述する。
【００１３】
この携帯用保温容器は、図１ないし図３に示すように、断熱構造の容器本体１と、該容器本体１の開口部１ａに対して螺着脱自在に取り付けられた栓本体２とを備えて構成されており、該栓本体２には、前記容器本体１の中心線Ｏに対して所定の傾斜角度θだけ傾斜した中心線Ｏ′を有する吸い口３が設けられている。該吸い口３には、キャップ４が螺着脱自在に設けられている。
【００１４】
前記容器本体１は、ステンレス等の金属からなる内筒５と外筒６との間に真空空間７を形成してなる真空二重容器とされており、その開口部１ａの外周面には、前記栓本体２を螺合させるための外ネジ８が形成されている。
【００１５】
前記栓本体２は、合成樹脂（例えば、ポリプロピレン）の一体成形品からなっており、前記容器本体１の開口部１ａに形成された外ネジ８に対して螺合される内ネジ９が形成されている円筒形状の螺合部２ａと、該螺合部２ａの上端に一体に突設され、前記容器本体１の中心線Ｏに対して所定の傾斜角度だけ傾斜した中心線Ｏ′を有する断面略直角三角形形状の蓋部２ｂと、該蓋部２ｂにおける略直角を挟む一辺の略直角より位置に一体に突設され、該蓋部２ｂの中心線Ｏ′と平行な中心線を有する吸い口３とからなっている。符号１４はシールパッキンである。
【００１６】
上記構成において、容器本体１の外径より栓本体２の外径が小さくなっており、吸い口３は、容器本体１の外径内に位置せしめられることとなっている。このようにすると、携帯用保温容器が、下方から上方に向かうに従って細くなる全体形状を呈することとなり、デザイン的に安定したフォルムを形成するという利点がある。
【００１７】
前記吸い口３の外周面には、前記キャップ４が螺着脱される外ネジ１０が形成されており、該キャップ４は、前記蓋部２ｂに一体形成された引っかけ部１１に引っかけられている紐１２の先端に取り付けられている。即ち、キャップ４を螺脱した状態においても、キャップ４が紐１２によって結び付けられることとなり、キャップ４を紛失してしまうということがなくなる（図２参照）。符号１３はキャップ４を螺着脱する際に手指を掛ける操作部である。
【００１８】
上記のように構成された携帯用保温容器においては、次のような作用効果が得られる。
【００１９】
即ち、吸い口３から直飲みするときに、容器本体１を大きく傾けなくともよいこととなり、急いでのむときや身体を動かしながら飲むときに便利となる。また、容器本体１の中心線Ｏとキャップ４の中心線Ｏ′とが所定の角度θで交差することとなるため、キャップ４を緩める際に、栓本体２が緩んでしまうということがなくなる。
【００２０】
なお、前記栓本体２の前記容器本体１に対する螺合方向と、前記キャップ４の前記吸い口３に対する螺合方向とを逆向きとすることもでき、その場合には、キャップ４を緩める際には、栓本体２が締まる方向に力が作用することとなり、栓本体２の緩み防止がより確実となる。
【発明の効果】
【００２１】
請求項１の発明によれば、断熱構造の容器本体と、該容器本体の開口部に対して螺着脱自在に取り付けられた栓本体とを備えた携帯用保温容器において、断熱構造の容器本体と、該容器本体の開口部に対して螺着脱自在に取り付けられた栓本体とを備えた携帯用保温容器において、前記栓本体を、前記容器本体の開口部に螺合する螺合部と、該螺合部の上端に一体に突設され、前記容器本体の中心線に対して所定の傾斜角度だけ傾斜した中心線を有する断面略直角三角形形状の蓋部と、該蓋部における略直角を挟む一辺に一体に突設され、該蓋部の中心線と平行な中心線を有する吸い口とによって構成し且つ該吸い口を、下方から上方に向かって先細り形状とするとともに、前記吸い口には、キャップを螺着脱自在に設けて、吸い口から直飲みするときに、容器本体を大きく傾けなくともよいこととなり、急いでのむときや身体を動かしながら飲むときに便利となるという効果がある。また、容器本体の中心線とキャップの中心線とが所定角度で交差することとなるため、キャップを緩める際に、栓本体が緩んでしまうということがなくなるという効果もある。さらに、携帯用保温容器が、下方から上方に向かうに従って細くなる全体形状を呈することとなり、デザイン的に安定したフォルムを形成するという効果もある。
【００２２】
請求項２の発明によれば、断熱構造の容器本体と、該容器本体の開口部に対して螺着脱自在に取り付けられた栓本体とを備えた携帯用保温容器であって、前記栓本体を、前記容器本体の開口部に螺合する螺合部と、該螺合部の上端に一体に突設され、前記容器本体の中心線に対して所定の傾斜角度だけ傾斜した中心線を有する断面略直角三角形形状の蓋部と、該蓋部における略直角を挟む一辺の略直角より位置に一体に突設され、該蓋部の中心線と平行な中心線を有する吸い口とによって構成し且つ該吸い口を、前記容器本体の外径内に位置せしめるとともに、前記吸い口には、キャップを螺着脱自在に設けて、吸い口から直飲みするときに、容器本体を大きく傾けなくともよいこととなり、急いでのむときや身体を動かしながら飲むときに便利となるという効果がある。また、容器本体の中心線とキャップの中心線とが所定角度で交差することとなるため、キャップを緩める際に、栓本体が緩んでしまうということがなくなるという効果もある。さらに、吸い口を、前記容器本体の外径内に位置せしめるようにしているので、全体的に小型となるという効果もある。
【図面の簡単な説明】
【００２３】
【図１】本願発明の実施の形態にかかる携帯用保温容器の側面図である。
【図２】本願発明の実施の形態にかかる携帯用保温容器の要部を示す拡大断面図である。
【図３】本願発明の実施の形態にかかる携帯用保温容器の拡大上面図である。
【符号の説明】
【００２４】
１は容器本体、１ａは開口部、２は栓本体、２ａは螺合部、２ｂは蓋部、３は吸い口、４はキャップ、５は内筒、６は外筒、７は真空空間、８は外ネジ、９は内ネジ、１０は外ネジ、Ｏ，Ｏ′は中心線、θは傾斜角度。
【図１】
0003620417.tif 000002
【図２】
0003620417.tif 000003
【図３】
0003620417.tif 000004